(57)【要約】【課題】表示装置に備える表示装置用スタンドにおいて構造が簡単で低価格で製作でき、且つどの角度に開いても安定した設置ができる表示装置用スタンドを提供する。【解決手段】筐体１０の背面Ｈにケーブル５と接続する接続部１５を備えた表示装置１と、表示装置の背面に回動可能に連結して表示装置を支える表示装置用スタンド３であって、表示装置用スタンド３は、背面側から見た時に接続部３４を覆い隠す平板状のカバー面３１と同カバー面の左端および右端を直角に折り曲げられた側面部３２、３３と、カバー面の下端を表示装置１側の斜め上方に折り曲げた下部傾斜部３４でなり、同下部傾斜部には、半円球の脚部を備えた緩衝部材４０を設ける。【選択図】図３
2016145873.tif 000002
【特許請求の範囲】
【請求項１】
筐体の背面にケーブルと接続する接続部を備えた表示装置と、同表示装置の前記背面に回動可能に連結して前記表示装置を支える表示装置用スタンドであって、
同表示装置用スタンドは、前記背面側から見た時に前記接続部を覆い隠す平板状のカバー面と、同カバー面の左端および右端を直角に折り曲げて形成した側面部と、前記カバー面の下端を前記表示装置側の斜め上方に折り曲げて形成した下部傾斜部でなり、同下部傾斜部には半円球の脚部を備えた緩衝部材を設けることを特徴とする表示装置用スタンド。
【請求項２】
請求項１に記載の表示装置用スタンドを備える表示装置。
【発明の詳細な説明】
【技術分野】
【０００１】
本発明は、構造が簡単で美観に優れた表示装置用スタンドと、この表示装置用スタンドを備える表示装置に関するものである。
【背景技術】
【０００２】
図６に示す表示装置１００は、情報機器と接続して情報を液晶画面（図示なし）に表示しタッチ操作で入力が可能となる小型の表示装置である。この表示装置１００は背面にスタンド２００を備える。このスタンド２００は角度調節部２１０で表示装置１００に取り付けられ、角度調節部２１０に軸支される２本の支柱２２０と、支柱２２０の先に設けた円筒形の鋼材による脚部２３０でなる。脚部２３０の円筒形の周囲には滑り止め用のゴム材２３１が巻かれている。
【０００３】
スタンド２００の展開角度を調整する際は、両手を使用して角度調節部２１０のノブ２１１を回転させて調整し、決まった角度になったときにネジ２１２で固定しなければならず、角度調整に手間が掛り、また部材が大きく部品点数も多く高価なものとなっていた。
【０００４】
さらに、表示装置１００は、消防や防災用の指令台の机上で使用者が画面をタッチ操作する時に押し易い位置に置かれる。そのため電源や情報機器と接続する複数のケーブル類３００が接続される背面側の接続部２４０が周囲にいる人の目に触れるが、特に接続部２４０を隠すことやケーブル類３００を纏める対応をしていないため、美観が悪くなっていた。（特許文献１参照）
【先行技術文献】
【特許文献】
【０００５】
【特許文献１】登録意匠第１４０７６６０号公報（スタンドを開いた状態の背面側から見た斜視図）
【発明の概要】
【発明が解決しようとする課題】
【０００６】
本発明は以上述べた問題点を解決し、卓上に設置するタッチパネル式液晶ディスプレイを備えた表示装置で使用されるスタンドにおいて、構造が簡単で低価格で製作でき、ケーブルを目立たせない表示装置用スタンドおよびこの表示装置用スタンドを備える表示装置を提供することを目的とする。
【課題を解決するための手段】
【０００７】
上述した課題を解決するために本発明は、筐体の背面にケーブルと接続する接続部を備えた表示装置と、同表示装置の前記背面に回動可能に連結して前記表示装置を支える表示装置用スタンドであって、同表示装置用スタンドは、前記背面側から見た時に前記接続部を覆い隠す平板状のカバー面と、同カバー面の左端および右端を直角に折り曲げて形成した側面部と、前記カバー面の下端を前記表示装置側の斜め上方に折り曲げて形成した下部傾斜部でなり、同下部傾斜部には半円球の脚部を備えた緩衝部材を設けることを特徴とする。
【発明の効果】
【０００８】
上記のように構成した本発明の表示装置用スタンドは、背面側から見た時に表示装置の接続部を覆い隠す平板状のカバー面と、同カバー面の左端および右端を直角に折り曲げて形成した側面部と、カバー面の下端を表示装置側の斜め上方に折り曲げて形成した下部傾斜部でなり、同下部傾斜部に半円球の脚部を備えた緩衝部材を設けた構成とすることで、構造が簡単で低価格な表示装置用スタンドとなる。さらにこの表示装置用スタンドのカバー面で表示装置の接続部を覆うことで接続部に接続されたケーブルが目立たなくなり美観が向上する表示装置となる。
【図面の簡単な説明】
【０００９】
【図１】本発明による表示装置が設置される消防指令卓の図である。
【図２】本発明による表示装置と表示装置用スタンドの斜視図で、（ａ）は正面側斜視図で、（ｂ）は背面側斜視図である。
【図３】本発明による表示装置と表示装置用スタンドの分解図である。
【図４】図３のＡ−Ａ部分拡大断面図である。
【図５】表示装置と表示装置用スタンドの使用状態の側面図で、（ａ）は最小角度に開いた図で、（ｂ）はタッチ操作をする状態を示す図で、（ｃ）は最大角度に開いた図で、（ｄ）は畳んで設置面に置いた状態を示す図である。
【図６】従来例の表示装置の図である。
【発明を実施するための形態】
【００１０】
以下、本発明を実施するための形態を、添付図面に基づいた実施例として詳細に説明するが、本発明はこれに限定されるものではない。
【００１１】
図１は表示装置１が設置される消防指令卓８の図であり、表示装置１は消防指令卓８の机上に設置される。表示装置１は１２インチサイズでタッチ操作のできる液晶パネル１９を備え、消防や救急の通報を受け付けると消防指令卓８に固定された大型モニター８１に情報が表示されるとともに、表示装置１の液晶パネル１９には出動指令画面が表示され、液晶パネル１９をタッチすることで指令が発令される。
【００１２】
図２は本発明による表示装置と表示装置用スタンドの斜視図で、（ａ）は正面側斜視図で、（ｂ）は背面側斜視図である。表示装置１は鋼板材による筐体１０を有する。筐体１０は前面パネル１１と背面パネル１２とで形成され、前面パネル１１は液晶パネル１９を囲んでいる。背面パネル１２には液晶パネル１９とその制御部品が収納されている。背面パネル１２は前面パネル１１の周縁と接合し液晶パネルの背面側を覆う背面部１３と、背面部１３から突出し液晶パネルの制御部品を収納する収納部１４を備える。収納部１４の下面には電源ケーブル５０や図示しない情報機器と接続するためのコネクタケーブル５１等を接続する接続部１５を備える。電源ケーブル５０とコネクタケーブル５１等は以下ケーブル類５とする。
表示装置１の下端には２個の表示装置用ゴム脚１７が設けられている。
【００１３】
尚、図２（ｂ）の筐体１０において、前面パネル１１がある側を前面とし、背面パネル１２がある側を背面Ｈとし、図１（ｂ）上で筐体１０の左側を左側面とし、筐体１０の右側を右側面として以下説明する。
【００１４】
筐体１０は背面Ｈ側に表示装置用スタンド３（以下スタンドとする）を備える。スタンド３は図３の分解図に示すように鋼板材を折曲加工することで形成され、平板状のカバー面３１と、カバー面３１の左端および右端を直角に折り曲げて形成した側面部３２、３３と、カバー面３１の下端を表示装置１側の斜め上方に折り曲げて形成した下部傾斜部３４でなる。スタンド３のカバー面３１の横幅Ｌ１は収納部１４の横幅Ｌ２と同じかそれよりも狭くて良いが、背面Ｈ側から見た時に接続部１５を覆い隠すことが可能な幅とする。カバー面３１の表示装置１側の上部には、後述するヒンジ機構２のネジを受ける補強板３１ａが溶接されている。この補強板３１ａにヒンジ機構２をネジ止めすることでカバー面３１にはネジが突出しないためスタンド３の美観を保つことができる。
【００１５】
筐体１０の背面パネル１２とスタンド３は、２箇所に設けたヒンジ機構２にそれぞれネジ止めされて互いに連結される。ヒンジ機構２は背面パネル１２の収納部１４の上下方向の中程にネジ止めされる。またヒンジ機構２はスタンド３の上部に溶接された補強板３１ａにネジ止めされる。スタンド３はヒンジ機構２を上端として、図４に示すように筐体１０のゴム脚１７の下端よりも上下方向に高さＬ３だけ短い長さとすることで、スタンド３を開いて消防指令台８の机上に設置した時にスタンド３よりも表示装置１が傾斜することになり、図５（ｂ）に示すようにタッチ操作の際に液晶パネル１９が押し易くなり、またスタンド３がタッチされた表示装置１を支え易くなる。
【００１６】
ヒンジ機構２は任意の角度を保持できるフリーストッパー仕様で、スタンド３を背面パネル１２に対して開く方向に回動可能であり、開いた状態で図２や図５（ａ）図５（ｂ）のように表示装置１を支える。また、スタンド３を閉じた時は、図５（ｄ）に示すようにカバー面３１を下にして消防指令台８の机上の設置面Ｔに置くことができる。また、この状態では厚さが薄くなるため引出８２に収納することも可能である。
【００１７】
図４に示すようにスタンド３の側面部３２、３３は固定されたヒンジ機構２が側面から見て覆い隠せる奥行幅Ｌ４があればよい。側面部３２、３３の下端は奥行幅Ｌ４を直径とした円弧部３２ａに形成されている。また側面部３２、３３の上端にはヒンジ機構２の回転の中心２０からカバー面３１までを半径Ｒとする円形部３５が形成されている。そして図３を合わせて参照して背面パネル１２の収納部１４には、スタンド３が開いた時に円形部３５の一部を表示装置１の収納部１４の中に収納するためのスタンド用孔１６が設けられている。スタンド用孔１６の横幅はスタンド３の鋼板材の厚さに合わせ、スタンド用孔１６の高さ１６ａは収納部１４にスタンド３の円形部３５が接した時の円形部３５の弦の長さに合わせた高さとする。これによりスタンド用孔１６はスタンド３が回転する時に常に円形部３５の一部を収納することでスタンド３の回転に支障を与えない。またスタンド３が開き過ぎた場合は、側面部３２、３３の円形部３５以外の部分がスタンド用孔１６に入ることができないため回転が規制される。図５（ｃ）がスタンド３を最大に開いた状態となる。
【００１８】
スタンド３の下部傾斜部３４は、カバー面３１の下端を、側面部３２、３３の下端の円弧部３２ａに沿って表示装置１側に円弧状に曲げ、その先を表示装置１側の斜め上方でカバー面３１に対し角度Ｋを設けて形成される。角度Ｋは本実施例では約５０度である。この場合図５（ｂ）に示すように、スタンド３と表示装置１の間に約７０度の角度Ｋ２を設けて置いた時に下部傾斜部３４が設置面Ｔと水平となり、後述するゴム脚４０の底面４０ｂが設置面Ｔと密着することで安定的な置き方ができる。
尚、角度Ｋ、Ｋ２および後述する角度Ｋ１、Ｋ３は本実施例の値に限定されず例えば約５度程度の幅のある数値であれば良い。
【００１９】
また図２（ｂ）と図３に示すようにスタンド３には下部傾斜部３４の中央を切り抜いた溝３６があり、この溝３６はカバー面３１の下部にまで繋がる。この溝３６がケーブル通路３６となる。カバー面３１におけるケーブル通路３６の横には、リブ３７ａを挟んでケーブル収納孔３７が設けられる。表示装置１に接続されたケーブル類５は図２（ｂ）に示すようにケーブル通路３６の間に差し込まれた後、リブ３７ａを乗り越えてリブ３７ａでケーブル通路３６側にずれて落ちないように押えてケーブル収納孔３７に留めることで、見栄え良く確実に収納することができる。
【００２０】
スタンド３には、緩衝物となる緩衝部材（以下ゴム脚とする）４０が取り付けられる。ゴム脚４０は軟質性のシリコンゴムで形成される。また、軟質性素材であればシリコンゴムに限定されない。
【００２１】
そしてスタンド３のカバー面３１の下部傾斜部３４側にはゴム脚４０を受ける緩衝部材用孔（以下ゴム脚用孔）３８が左右端にそれぞれ設けられる。ゴム脚４０は図４に示すようにスタンド３を支える半円球型の脚部４１とゴム脚用孔３８と係合する首部４２とゴム脚用孔３８を貫通してカバー面３１に係止する爪部４３とを有する。ゴム脚４０は軟質性を生かしゴム脚用孔３８に爪部４３を圧入して差し込む。
【００２２】
ゴム脚４０を係止したスタンド３のカバー面３１の下部傾斜部３４は、図５（ｄ）に示すようにスタンド３を最大角度まで開いた時に、表示装置１側の端面３４ａが設置面Ｔに接しないように、ゴム脚４０の脚部４１の縁４０ａ近傍に位置するように形成する。
【００２３】
ゴム脚４０は、図４に示すようにスタンド３を畳んだ状態で脚部４１の下端がスタンド３の円弧部３２ａの下端と垂直方向で同じ高さとなるように設ける。この状態から徐々にスタンド３が傾きながら開くと、脚部４０ａのいずれかの部分が設置面Ｔと接することになる。
【００２４】
図５（ａ）は、スタンド３を角度Ｋ１に開いた状態である。角度Ｋ１は約２９度である。また、このときの液晶パネル１９の画面角度は設置面Ｔから７５度起きた位置となり、液晶パネル１９をタッチ操作せずにモニターとして見るときは、この角度が見やすい。
【００２５】
図５（ｂ）は、スタンド３を角度Ｋ２に開いた状態である。角度Ｋ２は約７０度である。また、このときの液晶パネル１９の画面角度は設置面Ｔから５８度起きた位置となり、液晶パネル１９をタッチする時は、液晶パネル１９を安定的に押せるこの角度が使いやすい。
尚、スタンド３を角度Ｋ２に開いた状態の場合、天井灯の映り込みが発生することもあり、その場合は、図５（ａ）の角度Ｋ１の状態から図５（ｂ）角度Ｋ２の状態の間に設定すれば良い。
【００２６】
また、図５（ｃ）は、スタンド３を角度Ｋ３に開いた状態である。角度Ｋ３は約１１５度である。また、このときの液晶パネル１９の画面角度は設置面Ｔから３８度起きた位置となり、この状態がスタンド３を最大に開ける角度であり、これ以上はスタンド用孔１６の上端にスタンド３の側面部３２、３３の円形部以外の部分がスタンド用孔１６に入ることができないため回転が規制される。
【００２７】
図５（ａ）〜（ｃ）いずれの状態においても、ゴム脚４０が設置面Ｔに当接することから、表示装置１を安定的に支えることができる。
【００２８】
以上説明したように、表示装置１とスタンド３は、鋼板材を折曲加工して形成したスタンド３と、表示装置１とスタンド３を結合してスタンド３を好みの位置に保持するヒンジ機構２と、スタンド３を支えるゴム脚４０だけの少ない構成部品で作られることで、製造が簡単で低価格なものとなる。
【００２９】
また、スタンド３は、背面側から見た時に表示装置の接続部を覆い隠す平板状のカバー面３１と、カバー面３１の左端および右端を直角に折り曲げて形成した側面部３２、３３と、カバー面３１の下端を表示装置１側の斜め上方に折り曲げて形成した下部傾斜部３４でなり、カバー面３１が接続部１５を覆い隠し、下部傾斜部３４からカバー面３１にケーブル通路３６を設け、表示装置１に接続されたケーブル類５はケーブル通路３６の間に差し込まれリブ３７ａで抜けないように押えてケーブル収納孔３７に留めることで、接続部を覆い隠しケーブルを見栄え良く収納することで美観が向上する。
【００３０】
また、下部傾斜部３４を形成し、下部傾斜部３４にゴム脚４０を設けることで、スタンド２をどの角度に開いても設置面Ｔとゴム脚４０の底が密着することで安定して置くことができる。
【符号の説明】
【００３１】
１：表示装置、１０：筐体、１１：前面パネル、１２：背面パネル、１５：接続部、１６：スタンド用孔、１９：液晶パネル
２：ヒンジ機構
３：表示装置用スタンド（スタンド）、３１：カバー面、３３：下部傾斜部、３６：ケーブル通路、３７：ケーブル収納孔、３８：ゴム脚用孔
４０：緩衝部材（ゴム脚）、４１：脚部、４２：首部、４３：爪部
５：ケーブル類
８：消防指令卓
【図１】
2016145873.tif 000003
【図２】
2016145873.tif 000004
【図３】
2016145873.tif 000005
【図４】
2016145873.tif 000006
【図５】
2016145873.tif 000007
【図６】
2016145873.tif 000008